(57)【要約】      （修正有）【課題】効果的に光を屈折又は反射して、ターゲットとする魚の目に発見されやすく釣果の向上を期待できるルアーを提供する。【解決手段】ルアーは、本体部１０Ａ〜１０Ｄと、外部からの光を反射又は透過して光を発するように本体部１０Ａ〜１０Ｄに設けられた光透過性の石３０Ａ〜３０Ｄとを備えている。本体部１０Ａ〜１０Ｄは魚形状を有しており、石３０Ａ〜３０Ｄは、本体部の左右の側面に設けられている。【選択図】図１
0003211458.tif 000002
【実用新案登録請求の範囲】
【請求項１】
本体部と、
外部からの光を反射又は透過して光を発するように前記本体部に設けられた光透過性の石と、を備えることを特徴とするルアー。
【請求項２】
前記本体部は魚形状を有し、
前記石は、前記本体部の胴体部の左右の側面に設けられていることを特徴とする請求項１記載のルアー。
【請求項３】
前記胴体部には、左右方向に貫通する貫通孔が形成され、
前記石は、前記貫通孔を塞ぐように前記左右の側面に設けられており、前記左右の側面に設けられた石及び前記貫通孔を光が透過可能に構成されていることを特徴とする請求項２記載のルアー。
【請求項４】
前記左右の側面に設けられた石は、左右方向に光を最も効果的に屈折又は反射する向きに設けられていることを特徴とする請求項３記載のルアー。
【請求項５】
前記魚形状の本体部は頭部、少なくとも１個の胴体部、及び、尾びれ部に分割されており、
前記頭部、前記少なくとも１個の胴体部、及び、前記尾びれ部のそれぞれに前記石が設けられていることを特徴とする請求項３又は４記載のルアー。
【請求項６】
前記左右の側面に設けられた石によって塞がれた前記貫通孔の内壁には、反射材が塗布されていることを特徴とする請求項３乃至５記載のルアー。
【請求項７】
前記左右の側面に設けられた石は、正面を構成する平坦側と、裏面を構成する突起側とを有し、
前記平坦側が左右方向外側を向くように設けられていることを特徴とする請求項３乃至６記載のルアー。
【請求項８】
前記本体部は魚形状を有する中空の透明樹脂で形成されており、
前記中空の透明樹脂の内部空間に、前記石が複数詰められていることを特徴とする請求項１記載のルアー。
【請求項９】
前記複数の石は光を効果的に屈折又は反射する所定のカットで形成されており、向きがランダムになるように前記内部空間に詰められていることを特徴とする請求項８記載のルアー。
【請求項１０】
前記本体部には、餌又は疑似餌を取り付けるためのフックが取り付けられており、
前記本体部には、前記石が取り付けられていることを特徴とする請求項１記載のルアー。
【考案の詳細な説明】
【技術分野】
【０００１】
本考案は、魚釣り用のルアーに関する。
【背景技術】
【０００２】
魚釣り用のルアー（疑似餌）については、ターゲットとなる魚を引き寄せるために様々な仕掛けが考案されている。例えば、特許文献１には、ルアーの内部に照明手段と制御回路とを設け、該照明手段から発行される光の強度を制御回路によって制御する技術が開示されている。また、特許文献２には、金属板に打ち抜き成形によって凹部を形成し、この凹部に光輝材や蓄光材を含む化粧部材を装着した集魚部材が開示されている。
【先行技術文献】
【特許文献】
【０００３】
【特許文献１】特開２０１２−０４００１３号公報
【特許文献２】特開２０１２−００５４１７号公報
【考案の概要】
【考案が解決しようとする課題】
【０００４】
しかし、上記文献に開示された技術では、構成が複雑になり過ぎたり、発する光が単調であったりと改善の余地がある。
【０００５】
そこで本考案は、効果的に光を屈折又は反射して、ターゲットとする魚の目に発見されやすく釣果の向上を期待でき、更に見た目も美しく趣味性の高いルアーを提供することを目的とする。
【課題を解決するための手段】
【０００６】
上記目的を達成するために、本考案は、本体部と、外部からの光を反射又は透過して光を発するように前記本体部に設けられた光透過性の石と、を備えることを特徴とするルアーを提供している。
【０００７】
また、前記本体部は魚形状を有し、前記石は、前記本体部の胴体部の左右の側面に設けられていることを特徴とする請求項１記載のルアーを提供している。
【０００８】
また、前記胴体部には、左右方向に貫通する貫通孔が形成され、前記石は、前記貫通孔を塞ぐように前記左右の側面に設けられており、前記左右の側面に設けられた石及び前記貫通孔を光が透過可能に構成されていることを特徴とする請求項２記載のルアーを提供している。
【０００９】
また、前記左右の側面に設けられた石は、左右方向に光を最も効果的に屈折又は反射する向きに設けられていることを特徴とする請求項３記載のルアーを提供している。
【００１０】
また、前記魚形状の本体部は頭部、少なくとも１個の胴体部、及び、尾びれ部に分割されており、前記頭部、前記少なくとも１個の胴体部、及び、前記尾びれ部のそれぞれに前記石が設けられていることを特徴とする請求項３又は４記載のルアーを提供している。
【００１１】
また、前記左右の側面に設けられた石によって塞がれた前記貫通孔の内壁には、反射材が塗布されていることを特徴とする請求項３乃至５記載のルアーを提供している。
【００１２】
また、前記本体部は魚形状を有する中空の透明樹脂で形成されており、前記中空の透明樹脂の内部空間に、前記石が複数詰められていることを特徴とする請求項１記載のルアーを提供している。
【００１３】
また、前記複数の石は光を効果的に屈折又は反射する所定のカットで形成されており、向きがランダムになるように前記内部空間に詰められていることを特徴とする請求項６記載のルアーを提供している。
【００１４】
また、前記本体部は餌又は疑似餌を取り付けるためのフックであり、前記フックの根元に、前記石が取り付けられていることを特徴とする請求項１記載のルアーを提供している。
【考案の効果】
【００１５】
請求項１記載のルアーによれば、本体部に設けられた光透過性の石が、外部からの光を反射又は透過して光を発するため、ターゲットとする魚の目に発見されやすく釣果の向上を期待できる。
【００１６】
請求項２記載のルアーによれば、石は、魚形状の本体部の胴体部の左右の側面に設けられているため、広い範囲に光を発することができる。
【００１７】
請求項３記載のルアーによれば、石は、貫通孔を塞ぐように前記左右の側面に設けられており、左右の側面に設けられた石及び貫通孔を光が透過可能に構成されているため、左右の石が互いに光を遮ることなく光を透過するため、効果的に光を発することができる。
【００１８】
請求項４記載のルアーによれば、左右の側面に設けられた石は、左右方向に光を最も効果的に屈折又は反射する向きに設けられているため、更に効果的に光を発することができる。
【００１９】
請求項５記載のルアーによれば、魚形状の本体部は頭部、少なくとも１個の胴体部、及び、尾びれ部に分割されており、頭部、少なくとも１個の胴体部、及び、尾びれ部のそれぞれに石が設けられているため、魚形状の本体部がスムーズな動きをするとともに、この動きに伴って石が光を反射又は透過させて多方向に光を発することができる。
【００２０】
請求項６記載のルアーによれば、本体部の片側面に設けられた石から貫通孔側に透過した光を、貫通孔の内壁で反射させて反対側面に設けられた石へと導き出射させることができる。このため、当該ルアーはより複雑な光を発することができる。
【００２１】
請求項７記載のルアーによれば、左右の側面に設けられた石は、正面を構成する平坦側と、裏面を構成する突起側とを有し、平坦側が左右方向外側を向くように設けられている。このため、左右方向外側へ向かって光を効果的に発することができるとともに、本体部側面からの石の突出高さが小さくなるため流体抵抗を小さくすることができる。
【００２２】
請求項８記載のルアーによれば、本体部は魚形状を有する中空の透明樹脂で形成されており、中空の透明樹脂の内部空間に、複数の石が詰められているため、複数の石が光を反射又は透過させて多方向に光を発することができる。
【００２３】
請求項９記載のルアーによれば、複数の石は光を効果的に屈折又は反射する所定のカットで形成されており、向きがランダムになるように内部空間に詰められているため、更に多くの方向に光を発することができる。
【００２４】
請求項１０記載のルアーによれば、本体部に石を取り付けるというシンプルな構成により、外部からの光を反射又は透過して光を発し、ターゲットとする魚の目に発見されやすいという効果を得ることができる。
【図面の簡単な説明】
【００２５】
【図１】本考案の第１の実施形態によるルアーを示す側面図。
【図２】第１の実施形態によるルアーを示す上面図。
【図３】第２の実施形態によるルアーを示す上面図。
【図４】第２の実施形態によるルアーにおいて、ルアー本体に石を装着した構造を示すための拡大断面図。
【図５】本考案の第３の実施形態によるルアーを示す側面図。
【図６】本考案の第４の実施形態によるルアーを示す図。
【考案を実施するための形態】
【００２６】
本考案の第１の実施形態によるルアーについて、図１及び図２に基づき説明する。図中、前後方向は魚形ルアーの頭部が前となるように規定し、上下方向は魚形ルアーの背中が上となるように規定し、左右方向は魚形ルアーの上面図において進行方向に対する左右を規定している。
【００２７】
＜第１実施形態＞
本考案の第１実施形態によるルアー１は、本体部１０と、本体部１０の表面に埋め込まれた複数の光透過性の石３０と、フック（釣り針）７０と、を備えている。ルアー本体部１０の前端部には釣糸取付部８０が設けられており、ルアー本体部１０は釣糸取付部８０を介して釣り糸９０に結びつけられて使用される。
【００２８】
本体部１０は、全体として、魚形状又は紡錘形状を有している。本体部１０は、この魚形状又は紡錘形状を４つに分割して得られる本体頭部１０Ａと、本体胸部１０Ｂと、本体腹部１０Ｃと、本体尾部１０Ｄとからなる（以下、「本体頭部１０Ａ，本体胸部１０Ｂ，本体腹部１０Ｃ，本体尾部１０Ｄ」を「各本体部１０Ａ〜１０Ｄ」ということがある。）。
【００２９】
本体頭部１０Ａと、本体胸部１０Ｂと、本体腹部１０Ｃと、本体尾部１０Ｄとは記載順に所定間隔に配置されて、隣り合う本体部同士が揺動可能に繋がれている。各本体部１０Ａ〜１０Ｄの接続方法は、特に限定されない。例えば、本第１実施形態では、本体頭部１０Ａから本体尾部１０Ｄまでが一繋がりとなるように、これらの略中央部を高強度ステンレス製のワイヤ６０が貫通しているが、各本体部の前後方向端部自体がジョイントとなるよう、向かい合う本体部に互い違いになるような凹凸を設けてピンなどで接合してもよい。
【００３０】
本体部１０の材質は、一定の強度や靱性があれば特に限定されない。例えば、木・プラスチック・金属のいずれであってもよい。本第１実施形態では、水中に速やかに沈下し加工が容易な金属でできている。
【００３１】
本第１実施形態では、本体部１０にひれ２０が設けられている。そのうち、本体胸部１０Ｂの上部には背びれ２１Ｂが、本体腹部１０Ｃの上部には背びれ２１Ｃが設けられている。また、本体腹部１０Ｃの下部には尻びれ２３が、本体尾部１０Ｄの腹部とは反対側の端部には尾びれ２４が設けられている。これらひれ２０によって、ルアーの外観を本物の魚により似せることが可能である。キャスティング時の長い飛距離を重視する場合は、空気抵抗の観点から、なくてもよい。
【００３２】
本体部１０の下側には、フック７０が少なくとも１つ取り付けられている。本第１実施形態では、本体頭部１０Ａの下側に１つと、本体腹部１０Ｃの下側に１つとが、取り付けられている。
【００３３】
各本体部１０Ａ〜１０Ｄの左右両側には、石３０（３０Ａａ，３０Ａｂ，３０Ｂａ，３０Ｂｂ，３０Ｃａ，３０Ｃｂ，３０Ｄａ，３０Ｄｂ）を取り付けるための凹部４０（４０Ａａ，４０Ａｂ，４０Ｂａ，４０Ｂｂ，４０Ｃａ，４０Ｃｂ，４０Ｄａ，４０Ｄｂ）が形成されている。凹部４０は、石３０を取り付けたときに光を最も効果的に屈折又は反射するように配置されている。
【００３４】
石３０は光透過性の石である。入射光の加減によってキラキラと輝きつつ内部で屈折又は反射して放出するように、石３０にはブリリアントカット様のカットが適宜施されている。石３０の材質は特に限定されない。例えば、クリスタルガラス、樹脂、天然石、ダイヤモンド・ジルコニア・ルビー・サファイア等の天然又は人工の宝石を用いることが可能である。第１実施形態では、石３０をルアー本体部の凹部４０に埋め込むため、背面にアルミ塗膜加工が施されている石（例えば、スワロフスキー：登録商標）を用いれば、効果的に光を放出させることができ、より好ましい。
【００３５】
石３０は、光を最も効果的に屈折又は反射する向きに設置されている。石３０の設置方法は特に限定されない。例えば、石の背面に接着剤を塗布して各本体部１０Ａ〜１０Ｄの凹部に接着してもよいし、特殊な金具などで留めてもよい。
本実施形態によるルアー１によれば、本体部１０に設けられた光透過性の石３０が、外部からの光を反射又は透過して光を発するため、ターゲットとする魚の目に発見されやすく釣果の向上を期待できる。
また、石３０は、魚形状の本体部１０の胴体部の左右の側面に設けられているため、広い範囲に光を発することができる。
【００３６】
＜第２実施形態＞
次に、本考案の第２実施形態によるルアーについて、図１及び図３，図４に基づき説明する。なお、第２実施形態によるルアーの構成は、各本体部１００Ａ〜１００Ｄに貫通孔５０が設けられていることを除き、第１の実施形態によるルアーと同様である。よって、ここでは各本体部１００Ａ〜１００Ｄ及び貫通孔５０の構成及び石３０の取り付け方法についてのみ説明し、他の構成についてはその説明を省略する。
【００３７】
第２実施形態の本体部１００は、本体頭部１００Ａと、本体胸部１００Ｂと、本体腹部１００Ｃと、本体尾部１００Ｄとから構成されている。本体頭部１００Ａと、本体胸部１００Ｂと、本体腹部１００Ｃと、本体尾部１００Ｄとには、図３及び図４に示すように、石３０（３０Ａａ，３０Ａｂ，３０Ｂａ，３０Ｂｂ，３０Ｃａ，３０Ｃｂ，３０Ｄａ，３０Ｄｂ）を取り付けるための貫通孔５０（５０Ａ，５０Ｂ，５０Ｃ，５０Ｄ）が左右方向に形成されている。貫通孔５０は、本体各部１００Ａ〜１００Ｄそれぞれに少なくとも１つ形成されている。
【００３８】
貫通孔５０は、本体各部１００Ａ〜１００Ｄの強度を損なわない適当な位置に形成され、位置は特に限定されない。貫通孔５０Ａ〜５０Ｄの内径は、すべて同一であってもよいし異なっていてもよい。
【００３９】
また、各貫通孔５０の内壁には、反射材が塗布されている。反射材は、高反射率を確保することができれば特に限定されない。例えばガラスセラミックスを主成分とした焼結体から成る反射材であることが好ましい。これにより、左右いずれかに取り付けられた石３０を透過した入射光が貫通孔内で反射され、反対側の石に効率的に光を放出することが可能となる。
【００４０】
石３０は、図３及び図４に示すように、各本体部１００Ａ〜１００Ｄに形成された貫通孔５０Ａ〜５０Ｄを塞ぐように、各本体部１００Ａ〜１００Ｄの側面であって貫通孔５０Ａ〜５０Ｄの左右端に取り付けられている。具体的には、貫通孔５０Ａの左右端には石３０Ａａ，３０Ａｂ、貫通孔５０Ｂの左右端には石３０Ｂａ，３０Ｂｂ、貫通孔５０Ｃの左右端には石３０Ｃａ，３０Ｃｂ、貫通孔５０Ｄの左右端には石３０Ｄａ，３０Ｄｂ、が配置されている。
【００４１】
各貫通孔５０Ａ〜５０Ｄの左右端に取り付ける第２実施形態の石は、全体が透明であることが好ましい。したがって、第１実施形態で使用が可能な、背面にアルミ塗膜加工が施されているものは適さない。
【００４２】
石３０は、左右方向に光を最も効果的に屈折又は反射する向きに設置されている。より具体的には、石３０は、正面を構成する平坦側３０Ｓと、裏面を構成する突起側３０Ｔとを有する。そして、各石３０は、平坦側３０Ｓが左右方向外側を向くように設けられている。
【００４３】
なお、石３０の設置方法は特に限定されない。例えば、各貫通孔５０Ａ〜５０Ｄが中空になるよう石の周囲のみに接着剤を塗布して各本体部１０Ａ〜１０Ｄに接着してもよいし、特殊な金具などで留めてもよい。他にも、貫通孔５０Ａ〜５０Ｄの中空部に、紫外線硬化型樹脂のような高透過率の接着性樹脂を充填して接着してもよい。
【００４４】
本実施形態によるルアー１によれば、石３０は、貫通孔５０を塞ぐように左右の側面に設けられており、左右の側面に設けられた石及び貫通孔を光が透過可能に構成されている。このため、左右の石３０が互いに光を遮ることなく光を透過するため、効果的に光を発することができる。
【００４５】
また、左右の側面に設けられた石３０は、左右方向に光を最も効果的に屈折又は反射する向きに設けられているため、更に効果的に光を発することができる。
【００４６】
また、ルアー１の魚形状の本体部１０は頭部、少なくとも１個の胴体部、及び、尾びれ部に分割されており、頭部、少なくとも１個の胴体部、及び、尾びれ部のそれぞれに石が設けられている。このため、魚形状の本体部１０がスムーズな動きをするとともに、この動きに伴って石が光を反射又は透過させて多方向に光を発することができる。
【００４７】
また、本体部の片側面に設けられた石３０から貫通孔５０側に透過した光を、貫通孔５０の内壁で反射させて反対側面に設けられた石へと導き出射させることができる。このため、ルアー１はより複雑な光を発することができる。
【００４８】
更に、左右の側面に設けられた石は、正面を構成する平坦側３０Ｓと、裏面を構成する突起側３０Ｔとを有し、平坦側３０Ｓが左右方向外側を向くように設けられている。このため、左右方向外側へ向かって光を効果的に発することができるとともに、本体部側面からの石の突出高さが小さくなるため流体抵抗を小さくすることができる。
【００４９】
＜第３実施形態＞
本考案の第３実施形態によるルアーについて図５に基づき説明する。
【００５０】
第３実施形態によるルアー２００の本体部は、魚形状を有する中空の透明容器２１０で形成されている。本実施形態では、透明容器２１０は、透明の樹脂で形成されている。
透明容器２１０の内部空間には、複数の石２３０が詰められている。
【００５１】
複数の石２３０は、光を効果的に屈折又は反射する所定のカット（例えばブリリアントカット）で形成されている。そして、複数の石２３０は、その向きがランダムになるように透明容器２１０の内部空間に詰められている。
【００５２】
第３実施形態のルアー２００によれば、複数の石２３０が、光を効果的に屈折又は反射する所定のカットで形成されており、向きがランダムになるように内部空間に詰められているため、多くの方向に光を発することができる。
【００５３】
＜第４実施形態＞
本考案の第４実施形態によるルアーについて図６に基づき説明する。第４実施形態によるルアー３００は、本体部３１０に、餌又は疑似餌を取り付けるためのフック３７０が取り付けられている。そして、本体部３１０には、上述した実施形態と同様の石３３０が取り付けられている。
【００５４】
第４実施形態のルアーによれば、本体部３１０に石３３０を取り付けるというシンプルな構成により、外部からの光を反射又は透過して光を発し、ターゲットとする魚の目に発見されやすいという効果を得ることができる。
【００５５】
本考案によるルアーは上述した実施形態に限定されず、請求の範囲に記載した範囲で種々の変形や改良が可能である。
【産業上の利用可能性】
【００５６】
以上のように本考案にかかるルアーは、魚釣り用のルアーとして有用であり、特に、光に引き付けられる習性を有する魚等を釣るのに用いるのに適している。
【符号の説明】
【００５７】
１  ルアー、１０  本体部、１０Ａ  本体頭部、１０Ｂ  本体胸部、１０Ｃ  本体腹部、１０Ｄ  本体尾部、３０（３０Ａａ，３０Ａｂ，３０Ｂａ，３０Ｂｂ，３０Ｃａ，３０Ｃｂ，３０Ｄａ，３０Ｄｂ）  石、３０Ｓ  平坦側、３０Ｔ  突起側、４０  凹部、５０（５０Ａ，５０Ｂ，５０Ｃ，５０Ｄ）  貫通孔、６０  ワイヤ、７０  フック、８０  釣糸取付部、９０  糸、１００  本体部、１００Ａ  本体頭部、１００Ｂ  本体胸部、１００Ｃ  本体腹部、１００Ｄ  本体尾部、２００  ルアー、２１０  透明容器、２３０  石、３００  ルアー、３１０  本体部、３３０  石、３７０  フック。
【図１】
0003211458.tif 000003
【図２】
0003211458.tif 000004
【図３】
0003211458.tif 000005
【図４】
0003211458.tif 000006
【図５】
0003211458.tif 000007
【図６】
0003211458.tif 000008